(57)【要約】【課題】  耐久性、及び熱伝導性に優れた熱伝達ベルトを用いた定着装置、及びこの定着装置を備えた画像形成装置を提供することを目的とする。【解決手段】  被記録用紙に担持した未定着トナー像を定着させる定着手段と、定着手段と共同して押圧する加圧手段と、未定着トナー像を定着させるため、当該未定着トナー像を加熱する外部加熱手段と、外部加熱手段によって加熱される熱伝達ベルトとを備え、未定着トナー像を、熱伝達ベルトにより、直接、又、間接的に加熱するようにした定着装置において、熱伝達ベルトは、表面に離型層９１を、裏面に樹脂からなる基層９２を有し、離型層９１と基層９２との間に、樹脂に熱伝導性フィラーを含有して形成した高熱伝導層９３を有することを特徴とする。【選択図】  図３
2006267900.tif 000002
【特許請求の範囲】
【請求項１】
被記録用紙に担持した未定着トナー像を定着させる定着手段と、前記定着手段と共同して押圧する加圧手段と、前記未定着トナー像を定着させるため、当該未定着トナー像を加熱する外部加熱手段と、前記外部加熱手段によって加熱される無端状の熱伝達ベルトとを備え、前記未定着トナー像を、前記熱伝達ベルトにより、直接、又は、間接的に加熱するようにした定着装置において、
前記熱伝達ベルトは、表面に離型層を、裏面に樹脂からなる基層を有し、前記離型層と前記基層との間に、樹脂に熱伝導性フィラーを含有して形成した高熱伝導層を有することを特徴とする定着装置。
【請求項２】
前記高熱伝導層の熱伝導性フィラーの含有率は、前記基層側から前記離型層側に向かって順次増加するように形成したことを特徴とする請求項１に記載の定着装置。
【請求項３】
前記離型層は、フッ素樹脂からなり、当該離型層の層圧は、前記高熱伝導層より薄く形成されていることを特徴とする請求項１又は請求項２に記載の定着装置。
【請求項４】
前記基層は、樹脂に熱伝導性フィラーを含有し、当該基層の前記熱伝導性フィラーの含有率は、前記高熱伝導層の熱伝導性フィラーの含有率より低いことを特徴とする請求項１乃至請求項３のいずれかに記載の定着装置。
【請求項５】
請求項１乃至請求項４のいずれかに記載の定着装置を備えていることを特徴とする画像形成装置。
【発明の詳細な説明】
【技術分野】
【０００１】
本発明は、複写機やファクシミリ装置等の画像形成装置において、特に未定着トナー像を被記録用紙に加熱定着する定着装置、及びこの定着装置を備えた画像形成装置に関する。
【背景技術】
【０００２】
一般的に、複写機、プリンタ、ファクシミリなどの画像形成装置においては、未定着トナー像を担持した被記録用紙を、定着装置の加熱ローラと加圧ローラとにより形成されるニップに挟持搬送し、加熱・加圧することにより未定着トナー像を被記録用紙に定着するようにしている。このような定着装置では、加熱ローラの中空間部分に加熱手段を内蔵し、この加熱手段により、加熱ローラと加圧ローラとを圧接して形成したニップ部分を加熱するように構成している。従って、定着装置が所望の定着温度に昇温するのに時間が掛かると言った不都合があった。
【０００３】
従来、この対策として、未定着トナー像を定着させる回転可能な定着手段を加熱するために、外部加熱手段を用いたものが提案されている。この外部加熱手段としては、例えば、複数のロールで張架され、定着手段の表面と所定の領域で接触する熱伝達ベルトを用い、この熱伝達ベルトにより、定着手段を外部から加熱するようにしたものがある（例えば、特許文献１参照）。
【特許文献１】特許２００４−１９８６５９号公報
【発明の開示】
【発明が解決しようとする課題】
【０００４】
ところが、上述の特許文献１の記載のものでは、熱伝達ベルトとして、ニッケル電鋳ベルトにシリコンゴムを被覆したもの、或いはポリイミドにシリコンゴムを被覆したものが用いられている。このため、ニッケル電鋳ベルトにシリコンゴムを被覆したものでは、優れた熱伝導性を示すが、熱容量を備えるために、厚みを厚くすると、ヤング率が高いために可撓性が低くなり、耐久性が悪いと言った問題がある。又、ポリイミドにシリコンゴムを被覆したものでは、熱伝導率の低い樹脂で形成されているために、加熱手段から定着手段への熱移動に温度差が生じ、熱伝導性が悪いと言った問題がある。
【０００５】
本発明は、上述した課題を解決するためになされたものであり、耐久性、及び熱伝導性に優れた熱伝達ベルトを用いた定着装置、及びこの定着装置を備えた画像形成装置を提供することを目的とする。
【課題を解決するための手段】
【０００６】
上記目的を達成するために、本発明では、被記録用紙に担持した未定着トナー像を定着させる定着手段と、定着手段と共同して押圧する加圧手段と、未定着トナー像を定着させるため、当該未定着トナー像を加熱する外部加熱手段と、外部加熱手段によって加熱される無端状の熱伝達ベルトとを備え、未定着トナー像を、熱伝達ベルトにより、直接、又は、間接的に加熱するようにした定着装置において、熱伝達ベルトは、表面に離型層を、裏面に樹脂からなる基層を有し、離型層と基層との間に、樹脂に熱伝導性フィラーを含有して形成した高熱伝導層を有することを特徴とする。
【０００７】
この構成によれば、基層は、樹脂で形成されているため、熱伝達ベルトとしての全体の強度、及び熱容量を備え、該上層となる高熱伝導層は、樹脂に熱伝導性フィラーを含有して形成している。従って、基層から表面の離型層に効率よく熱伝導することができる。この結果、耐久性、及び熱伝導性に優れた熱伝達ベルトを得ることができる。しかも、表面は、離型層で形成されているため、熱伝達ベルトと接触する未定着トナー像を担持した被記録用紙、或いは定着手段等との接触部分の離型性に優れ、かつ、トナーや紙粉等が付着し難いので、都合がよい。
【０００８】
ここで、本発明においては、高熱伝導層の熱伝導性フィラーの含有率は、基層側から離型層側に向かって順次増加するように形成したことを特徴とする。この構成によれば、基層側から加熱された熱は、より効率よく高熱伝導層を伝導して、離型層に達し、未定着トナー像を担持した被記録用紙、或いは定着手段をより効率よく加熱することができるので、好ましい。
【０００９】
又、本発明においては、離型層は、フッ素樹脂からなり、当該離型層の層圧は、高熱伝導層より薄く形成されていることを特徴とする。この構成によれば、表面のフッ素樹脂からなる離型層は、優れた離型性を備えており、しかも、高熱伝導層よりも薄いので、高熱伝導層を伝導した熱を、より効率よく未定着トナー像を担持した被記録用紙、或いは定着手段に伝導し、より効率よく加熱することができる。更に、熱伝達ベルトにトナーや紙粉等が付着し難いので、好ましい。
【００１０】
又、本発明においては、基層は、樹脂に熱伝導性フィラーを含有し、当該基層の熱伝導性フィラーの含有率は、高熱伝導層の熱伝導性フィラーの含有率より低いことを特徴とする。この構成によれば、基層の樹脂層にも熱伝導性フィラーを含有しているので、加熱源からの加熱効率がより良くなり、しかも、その含有率は高熱伝導層より低いので、熱伝達ベルトと全体としてのヤング率を増すことなく、十分な強度、及び熱容量を備えることができるので好ましい。
【００１１】
更に、本発明においては、上述したいずれかの構成を有する定着装置を備えたことを特徴とする画像形成装置である。従って、この構成によれば、上述したいずれかの構成を有する定着装置と同じ作用を奏する画像形成装置を得ることができる。
【発明の効果】
【００１２】
本発明の構成によれば、耐久性、及び熱伝導性に優れた熱伝達ベルトを用いた定着装置、及びこの定着装置を備えた画像形成装置を得ることができる。
【発明を実施するための最良の形態】
【００１３】
（第１実施形態）
以下に、本発明の具体的な第１実施形態について図１を参照しながら説明する。図１は、本発明の第１実施形態に係る定着装置を用いた画像形成装置としての複写機に適用した場合の概略構成を示す概略構成図である。
【００１４】
図１に示すように、この画像形成装置である複写機１は、原稿を自動的に画像読取手段２に搬送する原稿搬送手段３と、原稿の画像情報を読取る画像読取手段２と、被記録用紙Ｐに画像読取手段２により読取った画像を形成する画像形成手段４と、後述する定着装置５と、被記録用紙Ｐが収納された給紙手段６と、を備えている。また、被記録用紙Ｐを画像形成手段４、定着装置５を介して排紙部７１に搬送する用紙搬送経路７が形成されている。
【００１５】
画像読取手段２は、周知の通り、原稿搬送手段３から搬送されてきた原稿が、コンタクトガラス上を通過する際、通過する原稿に、露光ランプから光を照射し、反射鏡を介してその反射光をＣＣＤセンサ等からなる光電変換部に導くことにより、原稿の画像情報を流し読み取る。
【００１６】
原稿搬送手段３は、原稿を載置するための原稿載置台３１と、原稿載置台３１に積載された原稿を給紙する原稿給紙部と、給紙された原稿を搬送するための原稿給紙用搬送路と、読み終えた原稿を、排出する原稿排出部３２等を備えている。
【００１７】
給紙手段６は、被記録用紙Ｐが収容された複数の給紙カセット６１を備えており、給紙ローラ６２の回転動作により、当該複数の給紙カセット６１のうち選択された給紙カセット６１から被記録用紙Ｐが用紙搬送経路７側に送り出されるように構成されている。この構成により、被記録用紙Ｐが１枚ずつ確実に用紙搬送経路７に給紙される。尚、これら給紙カセット６１は、複写機１に対し、着脱自在となるように構成されている。
【００１８】
用紙搬送経路７に給紙された被記録用紙Ｐは、この用紙搬送経路７を経由して画像形成手段４に向けて搬送される。この画像形成手段４は、電子写真プロセスによって、被記録用紙Ｐに所定のトナー像を形成するものであり、所定の方向（図中の矢印方向）に回転可能に軸支された像端持体である感光体４１と、この感光体４１の周囲にその回転方向に沿って、帯電装置４２、露光装置４３、現像装置４４、転写装置４５、クリーニング装置４６、及び除電装置４７を備えている。
【００１９】
帯電装置４２は、高電圧が印加される帯電ワイヤを備えており、この帯電ワイヤからのコロナ放電によって感光体４１の表面に所定電位を与えることにより、感光体４１の表面が一様に帯電させられる。そして、露光装置４３により、画像読取手段２によって読み取られた原稿の画像データに基づく光が、感光体４１に照射されることにより、感光体４１の表面電位が選択的に減衰されて、この感光体４１の表面に静電潜像が形成される。次いで、現像装置４４により、静電潜像にトナーが付着し、感光体４１の表面にトナー像が形成され、転写装置４５により、感光体４１の表面のトナー像が、感光体４１と転写装置４５との間に供給された被記録用紙Ｐに転写される。
【００２０】
トナー像が転写された被記録用紙Ｐは、画像形成手段４から定着装置５に向けて搬送される。この定着装置５は、画像形成手段４の用紙搬送方向の下流側に配置されており、画像形成手段４においてトナー像が転写された被記録用紙Ｐは、後述する定着装置５によって加熱・加圧され、被記録用紙Ｐ上にトナー像が定着される。次いで、画像形成手段４から定着装置５において画像形成がなされた被記録用紙Ｐは、排紙部７１上に排出される。一方、上記転写後、感光体４１の表面に残留しているトナーは、クリーニング装置４６により除去され、感光体４１の表面の残留電荷は、除電装置４７により除去される。そして、感光体４１は帯電装置４２によって再び帯電され、以下同様にして画像形成が行われることになる。
【００２１】
次に、本発明の特徴部分にかかる定着装置の具体的構成について、図２及び図３に基づいて説明する。図２は、図１に示す定着装置の概略構成を示す概念図、図３は、図２に示す定着装置の熱伝達ベルトの積層構造を示す拡大断面図である。
【００２２】
本実施形態では、被記録用紙に担持した未定着トナー像を、外部加熱手段によって加熱された無端状の熱伝達ベルトにより、間接的に加熱するようにしたものである。即ち、図２に示すように、定着装置５は、被記録用紙Ｐに担持した未定着トナー像を定着させる、例えば、回転軸５３に回転可能に軸支された定着ローラ等からなる定着手段５１と、定着手段５１と共同して押圧・回転する、例えば、回転軸５４に回転可能に軸支された加圧ローラ等からなる加圧手段５２と、定着手段５１を外部から加熱する外部加熱手段８とを備えている。
【００２３】
外部加熱手段８は、相互に間隔をあけて配設された、例えば、２個のベルト支持ローラ８１、８２と、これらベルト支持ローラ８１、８２間に張架された無端状の熱伝達ベルト９と、ヒートローラとして機能するベルト支持ローラ８１の内部に内蔵された、例えば、ハロゲンヒータ等からなる加熱源８３を備えている。そして、熱伝達ベルト９は、定着手段５１の表面であって、当該定着手段５１の外周方向に長さを持った長手方向に亘る帯状領域Ｌに密着するように配設されている。この構成により、定着装置５は、前述したように、未定着トナー像を担持した被記録用紙Ｐを、定着手段５１と加圧手段５２とにより形成されるニップに挟持搬送し、未定着トナー像を被記録用紙Ｐに定着する機能を有している。
【００２４】
そして、定着手段５１が、電動モータ５５により図２において、時計方向に回転されると、加圧手段５２は、反時計方向に従動回転される。同時に、ベルト支持ローラ８１は、熱伝達ベルト９を介して定着手段５１により、反時計方向に従動回転され、これに伴って、ベルト支持ローラ８２も熱伝達ベルト９を介して反時計方向に従動回転される。このとき、加熱源８３が通電され、発熱が開始されると、加熱源８３による熱は、ヒートローラであるベルト支持ローラ８１を加熱し、これに伴って、熱伝達ベルト９も加熱される。そして、加熱された熱伝達ベルト９は、定着手段５１と密着する帯状領域Ｌを介して定着手段５１に熱を伝導し、定着手段５１を昇温して、所定の定着温度範囲となるように、加熱源８３が図示しない制御手段により制御される。
【００２５】
而して、本発明に従い、無端状の熱伝達ベルト９は、図３に示すように、定着手段５１に接する表面に離型層９１を、裏面に樹脂からなる基層９２を有し、離型層９１と基層９２との間に、樹脂に熱伝導性フィラーを含有して形成した高熱伝導層９３を有する。
【００２６】
離型層９１としては、例えば、フッ素樹脂を用いることができ、ポリテトラフルオロエチレン（ＰＴＦＥ）、パーフルオロアルコキシアルカン樹脂（ＰＦＡ）等が挙げられる。基層９２及び高熱伝導層９３の樹脂としては、例えば、ポリイミド、ポリアミドイミド、ポリベンゾイミダゾール、ポリベンゾオキサゾール、ポリフェニレンサルファイド等の耐熱性樹脂が挙げられる。又、高熱伝導層９３の樹脂に混入する熱伝導フィラーとしては、例えば、銀、銅、アルミニウム、アルミナ、炭化ケイ素、シリカやグラファイト炭素、及びこれら２種類以上の混合物等が挙げられる。このような、多層構造の熱伝達ベルト９を形成するには、例えば、基層９２の上層に、熱伝導性フィラーを含有した樹脂を噴き付け塗装した後、焼成して高熱伝導層９３を形成し、その後、離型層９１を形成するフッ素樹脂を噴き付け塗装するようにすれば良い。
【００２７】
ここで、離型層９１は、フッ素樹脂を用い、当該離型層９１の層圧を、高熱伝導層９３より薄く形成するのが好ましい。このように構成によれば、表面のフッ素樹脂からなる離型層９１は、優れた離型性を備えており、しかも、高熱伝導層９３よりも薄いので、高熱伝導層９３を伝導した熱を、より効率よく定着手段５１に伝導し、より効率よく加熱することができる。更に、トナーや紙粉等が付着し難いので、好ましい。
【００２８】
又、基層９２は、樹脂に熱伝導性フィラーを含有し、当該基層９２の熱伝導性フィラーの含有率を、高熱伝導層９３の熱伝導性フィラーの含有率（例えば、２０％〜４０％）より低くなるように形成しても良い。このように構成によれば、基層９２の樹脂にも熱伝導性フィラーを含有しているので、加熱源８３からの加熱効率が良くなり、しかも、その含有率は高熱伝導層９３より低いので、熱伝達ベルト９全体としてのヤング率を増すことなく、十分な強度、及び熱容量を備えることができるので好ましい。
【００２９】
以上の構成によれば、基層９２は、樹脂で形成されているため、熱伝達ベルト９としての全体の強度、及び熱容量を備え、該上層となる高熱伝導層９３は、樹脂に熱伝導性フィラーを含有して形成している。従って、基層９２から表面の離型層９１に効率よく熱伝導することができる。この結果、耐久性、及び熱伝導性に優れた熱伝達ベルトを得ることができる。しかも、表面は、離型層９１で形成されているため、熱伝達ベルト９と接触する定着手段５１との接触部分の離型性に優れ、かつ、トナーや紙粉等が付着し難いので、好ましい。
【００３０】
（実施例）
以下、本発明に従い、図３に示すように離型層９１と基層９２との間に、樹脂に熱伝導性フィラーを含有して高熱伝導層９３を形成した多層構造の無端状の熱伝達ベルト９を用いた実験例に基づいて、本発明の優れた効果を説明する。なお、比較のため、高熱伝導層９３を形成していない熱伝達ベルト９を用いた比較例を併記した。
【００３１】
（実験例１）
ポリイミド樹脂に、熱伝導性フィラーとしてグラファイトフィラーを２０％含有した厚さ６５μｍの基層９２の上層に、ポリイミド樹脂に、熱伝導性フィラーとしてアルミニウムフィラーを４０％含有した厚さ６５μｍの高熱伝導層９３を、その上層に離型層９１として、厚さ１５μｍのＰＴＦＥを形成した熱伝達ベルト９を用いた。
【００３２】
（比較例１）
ポリイミド樹脂からなる厚さ１３０μｍの樹脂層の上層に、離型層として、厚さ１５μｍのＰＴＦＥを形成した熱伝達ベルトを用いた。
【００３３】
上述した熱伝達ベルト９を用い、図２に示すような定着装置５を製作し、外部加熱手段８のＡ点と、定着手段５１のＢ点の温度を温度センサにより測定した。その温度差を表１に示す。同表には、熱伝達ベルトの熱伝導率（Ｗ／ｍ・Ｋ）も併せて掲載した。
【００３４】
【表１】
2006267900.tif 000003
実験例１と、比較例１との対比により、本発明に従い、離型層９１と基層９２との間に、樹脂に熱伝導性フィラーを含有して高熱伝導層９３を形成した多層構造の熱伝達ベルト９を用いた実験例１では、外部加熱手段８から定着手段５１への温度差を、比較例１に比べ約３０％縮めることができ、効率良く熱移動し、熱伝導性が極めて優れていることが認められた。
【００３５】
（第２実施形態）
次に、本発明の第２実施形態について図４及び図５を参照しながら説明する。図４は、本発明の第２実施形態に係る定着装置の概略構成を示す概念図、図５は、図４に示す定着装置の熱伝達ベルトの積層構造を示す拡大断面図である。なお、図４及び図５において、上述した図１乃至図３と同じ符号を付した部分は、略同一のものを示すため、ここでは詳細な説明は省略する。以下、上述した実施形態との相違点を中心に説明する。
【００３６】
本実施形態では、外部加熱手段によって加熱され、回転駆動される無端状の熱伝達ベルトを定着用のベルトとして用い、この熱伝達ベルトにより、被記録用紙に担持した未定着トナー像を、直接加熱するようにしたものである。即ち、図４に示すように、定着装置５は、被記録用紙Ｐに担持した未定着トナー像を定着させる無端状の熱伝達ベルト９を有する定着手段５１と、加圧手段５２と、定着手段５１を外部から加熱する外部加熱手段８とを備えている。
【００３７】
定着手段５１は、定着用のベルトとして機能する熱伝達ベルト９と、この熱伝達ベルト９を被記録用紙Ｐに押圧する、例えば、回転軸５３に回転可能に軸支された定着ローラ５１１等を備えている。熱伝達ベルト９は、定着ローラ５１１と、支持ローラ８５との間に張架され、外部加熱手段８により加熱されるとともに、定着ローラ５１１と加圧手段５２との間に挟まれて循環走行される。
【００３８】
外部加熱手段８は、無端状の熱伝達ベルト９を加熱するように、熱伝達ベルト９の循環走行の内側、例えば、支持ローラ８５の内部空間に配設された、例えば、ハロゲンヒータ等からなる加熱源８３を備えている。この構成により、定着装置５は、前述したように、未定着トナー像を担持した被記録用紙Ｐを、定着手段５１の熱伝達ベルト９と、加圧手段５２とにより形成されるニップに挟持搬送し、未定着トナー像を被記録用紙Ｐに定着する機能を有している。
【００３９】
そして、定着ローラ５１１が、電動モータ（不図示）により図４において、時計方向に回転されると、加圧手段５２は、反時計方向に従動回転される。同時に、熱伝達ベルト９も時計方向に従動回転される。このとき、加熱源８３が通電され、発熱が開始されると、熱伝達ベルト９は、加熱されて昇温し、所定の定着温度範囲となるように、加熱源８３は、図示しない制御手段により制御される。
【００４０】
而して、本発明に従い、無端状の熱伝達ベルト９は、図４に示すように、被記録用紙Ｐに接する表面に離型層９１を、裏面に樹脂からなる基層９２を有し、離型層９１と基層９２との間に、樹脂に熱伝導性フィラーを含有して形成した高熱伝導層９３を有する。そして、高熱伝導層９３の熱伝導性フィラーの含有率は、基層９２側から離型層９１側に向かって順次増加するように形成されている。例えば、基層９２側の第１層目９３１の熱伝導性フィラーの含有率を２０％とし、第２層目９３２、第３層目９３３、第４層目９３４の熱伝導性フィラーの含有率を、順次２５％、３０％、３５％とし、第５層目９３５の熱伝導性フィラーの含有率を４０％とする。
【００４１】
以上の構成による本実施形態によれば、前述した実施形態と同様、基層９２は、樹脂で形成されているため、熱伝達ベルト９としての全体の強度、及び熱容量を備え、該上層となる高熱伝導層９３は、樹脂に熱伝導性フィラーを含有して形成している。従って、基層９２から表面の離型層９１に効率よく熱伝導することができる。この結果、耐久性、及び熱伝導性に優れた熱伝達ベルトを得ることができる。しかも、表面は、離型層９１で形成されているため、熱伝達ベルト９と接触する未定着トナー像を担持した被記録用紙Ｐとの接触部分の離型性に優れ、かつ、トナーや紙粉等が付着し難いので、好ましい。又、基層９２側から加熱された熱は、基層９２側から離型層９１に向けて順次、熱伝導性フィラーの含有率を増加した高熱伝導層９３を介して、より効率よく伝導して、離型層９１に達し、未定着トナー像を担持した被記録用紙Ｐを効率よく加熱することができるので、好ましい。
【００４２】
なお、上述した実施形態は、本発明の好適な実施形態であるが、本発明はこれに限定されるものではなく、本発明の要旨を逸脱しない範囲において、種々変形実施可能である。
例えば、上述した実施形態では、複写機を例に挙げて説明したが、本発明は、例えばファクシミリ装置や、コピー機能、プリンタ機能、スキャナ機能及びファクシミリ機能等の各種機能を兼ね備えた複合機等に対しても適用可能である。
【００４３】
また、上述した実施形態では、ドラム状の感光体４１を使用しているが、感光体４１の形状には限定はなく、上述したドラム状以外の公知の形状を用いることができる。例えば、シート状、ベルト状、ウェブ状等の形状が挙げられる。
【産業上の利用可能性】
【００４４】
本発明の活用例としては、被記録用紙に担持した未定着トナー像を、加熱定着させる定着装置、及びこの定着装置を備えた画像形成装置が挙げられる。
【図面の簡単な説明】
【００４５】
【図１】本発明の第１実施形態に係る定着装置を用いた画像形成装置としての複写機に適用した場合の概略構成を示す概略構成図である。
【図２】図１に示す定着装置の概略構成を示す概念図である。
【図３】図２に示す定着装置の熱伝達ベルトの積層構造を示す拡大断面図である。
【図４】本発明の第２実施形態に係る定着装置の概略構成を示す概念図である。
【図５】図４に示す定着装置の熱伝達ベルトの積層構造を示す拡大断面図である。
【符号の説明】
【００４６】
Ｐ…被記録用紙、１…画像形成装置、５…定着装置、８…外部加熱手段、９…熱伝達ベルト、５１…定着手段、５２…加圧手段、９１…離型層、９２…基層、９３…高熱伝導層
【図１】
2006267900.tif 000004
【図２】
2006267900.tif 000005
【図３】
2006267900.tif 000006
【図４】
2006267900.tif 000007
【図５】
2006267900.tif 000008